【手続補正書】
【提出日】平成15年4月3日(2003.4.3)
【手続補正１】
【補正対象書類名】明細書
【補正対象項目名】特許請求の範囲
【補正方法】変更
【補正の内容】
【特許請求の範囲】
【請求項１】
グラフィックディスプレイ装置の上に配置された１組の物理的物体の各々を検出する方法であって、前記物体の各々が識別子を備えており、
前記グラフィックディスプレイ上の表示された遊戯画像を連続的に電子的にリフレッシュするステップと、
前記物体の少なくとも１つを前記グラフィックディスプレイ装置上に配置するステップと、
前記識別子を検出ユニットによって検出するステップと、
前記検出ユニットから前記位置の情報を運ぶ信号を出力するステップと、
前記信号から前記位置の情報を決定するステップと、
を含む方法。
【請求項２】
各物体は前記組内で一意のアイデンティティを有する請求項１に記載の方法であって、前記識別子は前記アイデンティティを示し、前記検出ユニットから出力される前記信号は前記一意のアイデンティティの情報をさらに運び、前記決定ステップは前記一意のアイデンティティを決定することを含む方法。
【請求項３】
前記識別子は視覚的識別子であり、前記決定ステップは画像処理を含む請求項１に記載の方法。
【請求項４】
前記識別子は電子識別子であり、前記識別子は前記組内で識別可能な出力を生成する請求項１に記載の方法。
【請求項５】
前記電子識別子は共振回路であり、前記出力は前記組内で一意の周波数の電磁放射である請求項４に記載の方法。
【請求項６】
前記識別子は送信器であり、前記送信器をトリガして信号を発信するステップを設け、前記発信信号のトリガと受信との間の時間遅延、複数の受信器の各受信器の位相変化を含むグループのうちの１つを測定するステップを設け、かつ前記グループのうちの前記１つを前記複数の受信器の各々と比較することによって物体の位置を推定するステップを設ける請求項１に記載の方法。
【請求項７】
前記送信器は超音波送信器、赤外線送信器、無線周波数送信器、およびマイクロ波送信器を含むグループのいずれか１つである請求項６に記載の方法。
【請求項８】
前記物理的物体は外部から電力を供給される請求項１に記載の方法。
【請求項９】
前記物理的物体は内部で電力を供給される請求項１に記載の方法。
【請求項１０】
前記物理的物体は、ゲームのこま、シミュレーションのこま、およびポインタを含むグループのいずれか１つである請求項１に記載の方法。
【請求項１１】
前記グラフィックディスプレイ装置は平面形グラフィックディスプレイ装置である請求項１に記載の方法。
【請求項１２】
前記グラフィックディスプレイ装置はタブレット装置である請求項１に記載の方法。
【請求項１３】
前記少なくとも１つの物理的物体を前記グラフィックディスプレイ装置上で動かすためのトークン移動サブシステムを使用するさらなるステップを含む請求項１に記載の方法。
【請求項１４】
前記トークン移動サブシステムは、アクチュアブルアームを含む請求項１３に記載の方法。
【請求項１５】
前記アクチュアブルアームは識別子を含む請求項１４に記載の方法。
【請求項１６】
前記決定ステップの前に、前記グラフィックディスプレイ装置上に複数の既知の位置を示し、前記既知の位置を検出し、前記既知の位置と前記検出された位置との間でマッピングするレジストレーションステップをさらに含む請求項１に記載の方法。
【請求項１７】
前記検出ユニットは前記グラフィックディスプレイ装置上に配列された検出コイルの座標系を含む請求項１に記載の方法。
【請求項１８】
前記物理的物体の各々は、それぞれ予め定められた共振周波数によって励振される請求項１に記載の方法であって、前記グラフィックディスプレイ装置は、前記組内の各々異なる共振周波数を有する物体によって検出可能な信号を出力して前記物体を励振するように作動可能な励振コイルによって取り囲まれる方法。
【請求項１９】
前記信号は広帯域信号である請求項１８に記載の方法。
【請求項２０】
前記信号は一列の短パルスを含む請求項１８に記載の方法。
【請求項２１】
前記信号は前記組内のそれぞれの物体の前記識別子の共振周波数に対応する一連の周波数を含む請求項１８に記載の方法。
【請求項２２】
ゲームおよびシミュレーションを含むグループのいずれか一方で構成される請求項１に記載の方法。
【請求項２３】
物理的物体を検出するための装置であって、各物体が検出可能な識別子を有し、物体が前記物体の配置のための視覚的背景としての役割を果たすことができる電子的にリフレッシュ可能なグラフィックディスプレイ装置上に配置されるためのものであり、
前記電子的にリフレッシュ可能なグラフィックディスプレイ装置に対する前記識別子の位置を検出し、かつ前記位置の情報を運ぶ信号を出力するように作動可能な検出ユニットであって前記電子的にリフレッシュ可能なグラフィックディスプレイ装置のまわりに配置された検出ユニット
を備える装置において、
前記装置が電子的処理によって前記信号から前記電子的にリフレッシュ可能なグラフィックディスプレイ装置に対する前記物理的物体の相対位置を決定するように作動可能であり、前記電子的にリフレッシュ可能なグラフィックディスプレイ装置が電子的ディスプレイ表面を含み、その上に前記物体が配置可能である装置。
【請求項２４】
検出対象となる１組の物理的物体を設け、前記識別子が前記組内の各物理的物体に一意である請求項２３に記載の装置。
【請求項２５】
前記検出ユニットはカメラであり、前記電子的処理は画像処理を含む請求項２３に記載の装置。
【請求項２６】
前記識別子は視覚的に感知可能なマークである請求項２５に記載の装置。
【請求項２７】
前記視覚的に感知可能なマークは、使用される画像処理アルゴリズムとの併用に有効であるように選択される請求項２６に記載の装置。
【請求項２８】
前記識別子は共振周波数を有する共振回路である請求項２３に記載の装置。
【請求項２９】
検出対象となる１組の物理的物体を設け、各物体が一意の共振周波数を有する請求項２８に記載の装置。
【請求項３０】
前記グラフィックディスプレイ装置上に配置されたグリッドを有し、前記グリッドは導体を含む請求項２８に記載の装置。
【請求項３１】
前記導体は少なくとも１枚の透明なフォイルに埋め込まれる請求項３０に記載の装置。
【請求項３２】
前記導体は２枚の透明フォイルに埋め込まれる請求項３１に記載の装置。
【請求項３３】
前記グリッドの第１組の導体は、対応して同調される物理的物体の共振を引き起こすように同調された信号を送信する送信器導体として働き、第２組の導体は、近接配置された物理的物体からの共振信号の受信器として働き、それによって前記装置が物理的物体の位置を決定することを可能にする請求項３０に記載の装置。
【請求項３４】
前記第１組の導体は第１透明フォイルに埋め込まれ、前記第２組の導体は第２透明フォイルに埋め込まれる請求項３３に記載の装置。
【請求項３５】
前記グラフィックディスプレイ装置上の前記フォイルの少なくとも一方の位置を検出するための少なくとも１つの電気光学センサをさらに備える請求項３４に記載の装置。
【請求項３６】
前記グラフィックディスプレイ装置を取り巻くコイルをさらに有し、前記コイルは物理的物体に共振を引き起こすことができる信号を送信するように作動可能であり、前記グリッドは、前記共振する物理的物体に近接した導体を介して前記共振を拾うように作動可能であり、それによって前記物理的物体の位置を決定する請求項３０に記載の装置。
【請求項３７】
前記信号は、ある範囲の共振周波数を有する物理的物体に共振を引き起こすことができる請求項３６に記載の装置。
【請求項３８】
前記信号は広帯域信号である請求項３７に記載の装置。
【請求項３９】
前記信号は一列の短パルスを含む請求項３７に記載の装置。
【請求項４０】
前記信号は、前記組内のそれぞれの物体の前記識別子の共振周波数に対応する一連の周波数を含む請求項３７に記載の装置。
【請求項４１】
前記電子的処理は、前記信号の発信後に前記グリッドの個々の導体に現われる周波数を識別することを含む請求項４０に記載の装置。
【請求項４２】
前記電子的処理は高速フーリエ変換を含む請求項４１に記載の装置。
【請求項４３】
前記物理的物体の周波数が既知であり、前記電子的処理は周波数相関を含む請求項４１に記載の装置。
【請求項４４】
各物理的物体に対し一意の格納位置を有する請求項４３に記載の装置。
【請求項４５】
検出対象の１組の物理的物体を設け、装置は、第１物理的物体の前の位置の知識、前記物理的物体を移動させるために少なくとも１つの規則の知識、および一手をさした後の前記組の物理的物体の検出位置から、前記第１物理的物体の現在の位置を推論するように作動可能な、ファンクショナリティに従う装置を含む請求項４３に記載の装置。
【請求項４６】
向きに基づいてスコアを選択するための少なくとも１つの可感さいころをさらに設け、前記検出ユニットは前記さいころの向きを決定するように作動可能であり、前記装置はそれによって前記スコアを推定するように作動可能である請求項４３に記載の装置。
【請求項４７】
前記可感さいころは、各々が前記さいころの異なる向きに関連付けられかつ前記さいころがそれぞれの向きのときに起動される複数の共振回路を備え、前記検出ユニットは前記共振周波数を検出するように作動可能である請求項４６に記載の装置。
【請求項４８】
前記可感さいころは、前記さいころの前記向きに基づいて前記共振回路間で選択するための重み付きスイッチを含む請求項４７に記載の装置。
【請求項４９】
少なくとも１個のさいころを利用するゲームに関連して使用されるとき、前記装置は、前記物体の検出された動きから前記少なくとも１個のさいころによって示されたスコアを推定するためのスコア推定器を含む請求項４３に記載の装置。
【請求項５０】
検出ユニットとインタフェースするためのインタフェースモジュールをさらに含む請求項４３に記載の装置。
【請求項５１】
前記インタフェースモジュールはオペレーティングシステムの一部である請求項５０に記載の装置。
【請求項５２】
電子ゲームプラットフォーム用の可感さいころであって、前記さいころは複数の向きおよび各向きに関連付けられるスコアを有し、さいころは複数の信号生成回路を備え、各回路は遠隔検出のための信号を生成するためのものであり、かつ前記さいころの前記向きの１つに関連付けられ、かつ前記さいころがそれぞれの向きのときに信号生成のために選択可能である可感さいころ。
【請求項５３】
前記さいころの前記向きに基づいて前記信号生成回路間の選択を行ない、それによって前記信号生成回路の各々をそれぞれの向きに関連付けるための重み付きスイッチを含む請求項５２に記載の可感さいころ。
【請求項５４】
前記信号生成回路は共振回路である請求項５３に記載の可感さいころ。
【請求項５５】
各々の前記共振回路は異なる周波数で共振するように作動可能であり、それによって前記さいころの前記向きを示す請求項５４に記載の可感さいころ。
【請求項５６】
前記識別子をトリガして実質的に前記検出ユニットのまわりに識別信号を出力させるステップと、
予め定められた遅延を待機するステップと、
前記識別信号を前記検出ユニットで検出するステップと、
前記検出を分析してそれにより前記位置及び前記少なくとも１つの物体の識別を推定するステップをさらに含む請求項１に記載の方法。
【請求項５７】
前記の決定された位置をネットワーク上で遠隔的に得られた決定された位置情報と組合わせるステップをさらに含む請求項１に記載の方法。
【請求項５８】
前記検出ユニットが相互に対して実質的に直角な２組の一般的に平行な導電線を含む請求項５６に記載の方法。
【請求項５９】
電子ディスプレイ上に配置された複数の物理的物体の少なくとも１つを検出するための装置であって、前記物体の各々が識別子を含み、前記識別子が予め定められた周波数範囲内の予め定められた共振周波数を有する共振回路を含み、前記装置が
前記電子ディスプレイのまわりに配置された感知表面であって、相互に対して実質的に直角でありかつ相互から電気的に隔離されている２組の一般的に平行な導電線を有する感知表面と、
前記導電線の実質的にまわりに配置されてその中の検出領域を画定する励振コイルと、
前記の予め定められた周波数範囲内の少なくとも１つの周波数を含む電磁エネルギー信号を前記励振コイルに供給するための信号生成器と、
前記２組の導電線上の前記予め定められた周波数範囲内の周波数で電磁エネルギーを検出するための前記２組の導電線に関連する検出ユニットであって、それによりそれぞれの電磁エネルギー信号が前記物理的物体の少なくとも１つを起動させ、それぞれの周波数で共振させて前記２組の導電線に応答を誘導するように作動可能である検出ユニットと
を含み、前記検出ユニットはそれぞれの信号の前記信号生成器による発生後に予め定められた遅延時間の間待機し、前記応答を検出し、そして前記２組の導電線での前記応答を分析して前記電子ディスプレイに関する前記物理的物体のアイデンティティ及び位置を識別するように作動可能である装置。
【請求項６０】
複数の物理的物体を検出するための請求項５９に記載の装置であって、各物理的物体がそれぞれの共振周波数を有し、前記電磁エネルギー信号がある範囲の周波数を含む合成信号であり、前記検出ユニットが前記合成信号に対する応答を周波数ドメインへと変換する変換ユニットを含み、それにより異なる物理的物体の応答をそれぞれ区別する装置。
【請求項６１】
前記グラフィックディスプレイ装置がアクティブディスプレイを含む請求項５９に記載の装置。
【請求項６２】
前記電子ボード中の前記２組の導電線は少なくとも１つの透明フォイル上にパターン化されている請求項５９に記載の装置。
【請求項６３】
グラフィックディスプレイ装置上の位置に配置された１組の物理的物体の少なくとも１つを検出する方法であって、前記物体の各々が識別子を備えており、
前記物体の少なくとも１つを前記グラフィックディスプレイ装置上のそれぞれの位置に配置するステップと、
実質的に前記グラフィックディスプレイ装置のまわりのトリガユニットからトリガ信号を発信するステップと、
前記トリガ信号への応答において前記物体から識別信号を発信するステップと、
予め定められた遅延を待機するステップと、
前記グラフィックディスプレイ装置のまわりに位置する感知表面上に位置する、相互に対して実質的に直角な２組の一般的に平行な導電線で前記識別信号を検出するステップと、
前記検出を分析してそれにより前記グラフィックディスプレイ装置上の前記少なくとも１つの物体の前記位置及びアイデンティティを推定するステップと
を含む方法。
【請求項６４】
各物体がそれぞれの共振周波数を有し、前記信号がある範囲の周波数を含む合成信号であり、方法が前記応答を周波数ドメインへと変換し、それによって異なる物理的物体の応答をそれぞれ区別するステップをさらに含む請求項６３に記載の方法。
【請求項６５】
相互に対して実質的に直角な２組の一般的に平行な導電線での前記検出が同時に行われる請求項６３に記載の方法。